(57)【要約】【課題】入力電力より大なる出力電力を得ることにより新たな電力を発生する。【解決手段】交流電気回路において電源トランスの二次回路にコンデンサ、インダクタンス、負荷を接続し、トランスの二次線輪の実効インダクタンスとコンデンサによる共振現象を行わせしめ大なる進相電流を流すことにより、入力有効電力より負荷電力が大きくなることを特徴とする電力増倍器。本電力増倍器の出力の一部を入力にもどしたエネルギー不要の発電装置。【選択図】図１
2005160215.tif 000002
【特許請求の範囲】
【請求項１】
交流電力回路において電源トランスがあり当該トランスの二次回路に並列キャパシタと並列インダクタ並びに負荷を接続するようになされた回路において、
上記電源トランスの二次線輪の漏洩インダクタンスを含む実効インダクタンスと上記並列キャパシタが直列共振またはそれと等価な共振回路とし、充分大なる９０度進みの共振電流を上記並列キャパシタに流すように構成される。負荷を接続してもキャパシタに流れる共振電流より小さな負荷電流とすることにより並列キャバシタと負荷の合成電流位相が大きく同相方向に移相しないため、（９０度に近い高い角度の位相を保つため）トランス二次電力が電流位相により支配されるので入力電力が僅少化される。これによりトランス二次電力、即ち並列キャパシタ、負荷の入力電力より大なる出力電力を得ることが出来る。
上記電源トランスの二次出力にある並列インダクタンスは上記電流の力率を改善しトランス二次回路の小電流化するもので、合成電流は並列キャパシタ電流と並列インダクタンス電流が互いにキャンセルし小さな電流となす。これらの結果として上記電源トランスから供給される電力より大なる負荷電力を上記負荷抵抗に消費出来ることを特徴とする電力増倍器。
【請求項２】
バッテリがありバッテリ電源を交流変換し交流電力（Ｐ１）とし、本発明請求項１の電力増倍器により増倍された電力（Ｐ２）を得て、当該増倍電力Ｐ２の一部を上記バッテリ電源（P１）に還元し余剰電力（Ｐ３＝Ｐ２−Ｐ１）を任意の電力として使用できるように構成した電力増倍器による発電器。
【発明の詳細な説明】
【技術分野】
【０００１】
本発明は電力の増倍により入力電力より大きい電力発生に関するものである。
【背景技術】
【０００２】
誘導コイルによるインダクタンス並びにキャパシタは一般にその流れる電流が電圧に比して９０度遅れ、並びに９０度進みの関係にある。このインダクタンスとキャパシタによる同調作用、または共振現象は極めて一般的な周知の従来技術であるがこれらを組み合わせ本発明を成立させた。
【発明の開示】
【発明が解決しようとする課題】
【０００３】
電力は水力、石油、原子力などを燃料とし得られるのが主であった。これらエネルギー資源の枯渇はもはや時間の問題であり地球環境にあたえる影響は計り知れない。そこで燃料等一切使用しない全く新たな原理にもとずく電力発生器の提案が待ち望まれていた。太陽電池、風力発電などはそれが目的のため発展途上であるがまだまだ使用量が微少である。本発明はこれらを大きく解決できる要素をもつ提案である。また本電力増倍器の出力の一部電力を入力に還元し永久発電機とすることも可能なことは理の当然である。
【課題を解決するための手段】
【０００４】
本発明は電源トランスの二次線輪の実効インダクタンスと並列キャパシタにより電源周波数に共振させ非常に大なる共振電流を流すことによる。
【発明の効果】
【０００５】
従来「もらったエネルギーよりも多くの仕事は出来ない」と云う極めて単純な言葉からこの種の発明は無かった。
本発明の効果について述べる。
本発明は入力電力より大なる出力電力を得る。その量は入力電力の２倍ないし数倍程度になる。勿論回路の改善ならびにトランスやインダクタを超伝導状態にすることにより効率倍数は大きく上昇するものである。仮に負荷がありながらインダクタと負荷の合成電流位相が丁度９０度に位相調整がなされたなら効率は無限大になる。つまりインダクタと負荷の合成電流位相が丁度９０度遅れ電流になるならば、キャパシタにより９０度進み電流でキャンセル相殺することで合成電流を殆ど零にすることが可能である。合成電流が零であることは通過電力が零である。負荷電力を供給しているにもかかわらず入力電力がゼロ（に近い）と云うきわめて特異な現象を呈する。
従って、入力電力より大なる出力電力を容易に得られる。前述したが共振回路の改善で効率は向上する。
たとえば効率５倍に成ったとすれば１に相当する電力を入力電力にフィードバックし４に相当する電気量は外部にて任意に使用できることは理の当然である。
本発明の電力は無公害、無振動、無雑音であることは当然ですが、なによりも特記すべきは燃料等のエネルギー補給が必要ないことである。
【発明を実施するための最良の形態】
【０００６】
本発明は従来存在しなかったものであるからどのような実施も最良の形態になるだろう。大きく分けて２つの実施形態がある。
第一は単純に電力増倍として実施するもので例えば小電力の電源設備で大電力の機器を駆動する形態である。
第二は発電機として利用するものである。一般家庭用電源として５ｋｗ程度のもの。ビル用として５００ｋｗ程度のもの。工場用として５０００ｋｗ程度のものが代表となろう。そして自動車用として駆動エンジンにかわる２０ＫＷから５０ｋｗ程度の小型軽量の発電器が期待される。微小発電でバッテリーにかわるなども大いに期待されるであろう。
本発明の実用化で危険負担の多い原子力発電は縮小または廃棄可能である。
【実施例１】
【０００７】
図１は本発明の一例を示す原理図である。図１について説明する。
Ｆなる周波数をもつ交流電源Ｇ１からＥ０なる電圧によりトランスＴ２の線輪Ｌｐを励磁し２次線輪ＬｓにＥ１なる電圧を誘起する。
トランスＴ２の２次線輪Ｌｓに誘起したＥ１なる電圧はコンダンサＣ４に接続される。
トランスＴ２の２次線輪Ｌｓには漏洩インダクタンスを含む実効インダクタンスが存在する。トランスＴ２の二次線輪Ｌｓインダクタンスは一般にはトランスＴ２の一次、二次線輪がオープン時に比して非常に少量のインダクタンス値となる。この実効インダクタンスは線輪に流れる電流と漏洩磁界による漏洩インダクタンスにより支配されるが一般的である。
このインダクタンスＬｓとコンデンサＣが直列共振する事により大なる９０度進み電流ｉＣが図１の４のキャパシタＣに流れる。キャパシタ電流ｉＣは回路のＱによりその大きさが決定されるのでＱの高い回路ほど非常に大きい電流となる。また装置を超伝導環境にすることで無限に大きな電流となる。
かかる状態で負荷抵抗Ｒ６を接続するとキャパシタ電流ｉＣは９０度より０度方向に、つまり同位相の方向に移相する。
しかしながら前述のようにキャパシタ電流ｉＣが極めて大きいため合成電流は非共振時に比較して角度が余り下がらない。つまり９０度進みに近い位相角を保つ。これが本発明の重要な事項である。
【０００８】
図１の３を通過する電力は次のようになる。
通過電力をＰｉｎとし電流位相角をφ１とすれば
Ｐｉｎ＝Ｅ１  ×  ｉ１  ×  COSφ１        となる。
図１の負荷Ｒ  ６の電力をＰｏｕｔとし電流位相角をφ２とすれば
Ｐｏｕｔ＝Ｅ２  ×  ｉ２  ×  COSφ２        となる。
Ｐｉｎ  と  Ｐｏｕｔ  との関係はCOSφ１が非常に小さな値なので  
Ｐｉｎ＜Ｐｏｕｔ                        の関係が維持される。
よって入力電力より大なる出力電力が得られる特徴がある。
COSφ１が小さな値であることは力率が極めて悪いことを意味する。よってその改善を図１の８Ｌなるインダクタンスで行う。キャパシタ電流ｉＣと逆相関係にあるインダクタンス電流ｉＬが互いにキャンセルし力率を改善することにより図１の３の電流ｉ１を最小化する。  
一般にトランスの線輪、インダクタは内部抵抗が存在するがこの内部抵抗が効率を著しく阻害する。内部抵抗は零であるのが望ましくこれが為に低温環境または超伝導環境におくことを良とする。
【０００９】
本発明を永久発電機に構成した場合ついて図２で説明する。電力増倍作用はすでに述べた通りである。
図２のＰ１は交流変換器Ｇ１１により発生した入力電力である。電力増倍作用により発生した電力Ｐ２の一部をＰ１に相当する電力Ｐ３を入力電力Ｐ１に還元し整流器Ｄ１７により直流となしバッテリーＢ１８を充電せしめる。バッテリーＢ１８は装置の初期スタートならびに電圧変動等を抑える。しかる後、負荷電力Ｐ４を任意の負荷に使用できる。Ｐ４の電気量は次による。
Ｐ４=Ｐ２−Ｐ３      となる。
Ｐ２＞Ｐ１
Ｐ２＝Ｐ３＋Ｐ４    であるから電力を外部に供給し続けることが理解されよう。
【産業上の利用可能性】
【００１０】
本発明は人類の夢の実現化である。本発明で発生せられる電力は無公害であり地球上どこでも安定して供給出来る電力であり、基本的には電力コストは無料である。
したがって産業上の利用可能性は無限にある。
【図面の簡単な説明】
【００１１】
【図１】本発明の電力増倍の一実施例を示す。
【図２】電力増倍を用いて発電機として構成した一実施例を示す、
【符号の説明】
【００１２】
図１
１は交流電源Ｇ
２は電源トランスＴ
３は合成電流通過点ｉ１
４はキャパシタＣ
５はキャパシタに流れる電流ｉＣ
６は負荷Ｒ
７は負荷Ｒに流れる電流ｉＲ
８はインダクタンスＬ
９はインダクタンスＬに流れる電流ｉＬ
図２
１１は交流変換器Ｇ
１２は電源トランスＴ
１３はキャパシタＣ
１４はインダクタンスＬ
１５は電力増倍された電力のＰ２通過点
１６は負荷Ｒ
１７は整流器Ｄ
１８はバッテリーＢ
【図１】
2005160215.tif 000003
【図２】
2005160215.tif 000004